(57)【要約】【課題】  過去に通話できなかった相手先からの着信を優先的に受け付ける。【解決手段】  同時に複数の回線での着信があると、過去の着信において通話できなかった相手先か否かを判定し、通話できなかった相手先であれば、その相手先からの着信を優先し（Ｓ３００〜Ｓ３１０ステップ）、又、過去の発呼において通話できなかった相手先か否かをか否かを判定し、通話できなかった相手先であれば、その相手先からの着信を優先する（Ｓ３２０〜Ｓ３３０ステップ）。【選択図】  図５
2008005417.tif 000002
【特許請求の範囲】
【請求項１】
複数の回線を収容可能な電話装置であり、
前記複数の回線において着信が同時に発生した際、前記着信の相手先が、過去の着信履歴において着信に応答しなかった相手先であれば、同時に発生している他の着信よりも着信を優先することを特徴とする電話装置。
【請求項２】
請求項１記載の電話装置であり、
更に、着信を優先する相手先の電話番号を設定可能であり、
前記設定された電話番号の相手先は、前記過去の着信履歴において着信に応答しなかった相手先よりも優先順位が低いことを特徴とする電話装置。
【請求項３】
複数の回線を収容可能な電話装置であり、
前記複数の回線において着信が同時に発生した際、前記着信の相手先が、過去の発信履歴において発信に応答しなかった相手先であれば、同時に発生している他の着信よりも着信を優先することを特徴とする電話装置。
【請求項４】
請求項３記載の電話装置であり、
更に、着信を優先する相手先の電話番号を設定可能であり、
前記設定された電話番号の相手先は、前記過去の発信履歴において発信に応答しなかった相手先よりも優先順位が低いことを特徴とする電話装置。
【請求項５】
複数の回線を収容可能な電話装置であり、
前記電話装置は、回線の閉結と開放及び着信の検出を行う網制御手段と、着信時に発呼側の電話番号を検出する電話番号検出手段と、過去の着信履歴において着信に応答しなかった相手先の電話番号を格納可能な着信履歴格納手段と、
前記網制御手段が１つの回線からの着信を検出し当該着信検出がなくなるまでに、前記網制御手段が他の回線において着信を検出すると、前記他の回線において検出した着信の発呼側電話番号が、前記着信履歴格納手段に格納されている過去の着信履歴において着信に応答しなかった相手先の電話番号と一致するか否かを判定し、一致すると判定すると、一致した電話番号からの着信に応答可能にし、他の回線における着信を拒否するよう前記網制御手段を制御する制御手段と、を有することを特徴とする電話装置。
【請求項６】
複数の回線を収容可能な電話装置であり、
前記電話装置は、回線の閉結と開放及び着信の検出を行う網制御手段と、着信時に発呼側の電話番号を検出する電話番号検出手段と、過去の発信履歴において発信に応答しなかった相手先の電話番号を格納可能な発信履歴格納手段と、
前記網制御手段が１つの回線からの着信を検出し当該着信検出がなくなるまでに、前記網制御手段が他の回線において着信を検出すると、前記他の回線において検出した着信の発呼側電話番号が、前記発信履歴格納手段に格納されている過去の発信履歴において発信に応答しなかった相手先の電話番号と一致するか否かを判定し、一致すると判定すると、一致した電話番号からの着信に応答可能にし、他の回線における着信を拒否するよう前記網制御手段を制御する制御手段と、を有することを特徴とする電話装置。
【請求項７】
複数の回線を収容可能な電話装置であり、
前記電話装置は、回線の閉結と開放及び着信の検出を行う網制御手段と、着信時に発呼側の電話番号を検出する電話番号検出手段と、過去の着信履歴において着信に応答しなかった相手先の電話番号を格納可能な着信履歴格納手段と、着信を報知する着信報知手段と、
前記網制御手段が１つの回線からの着信を検出し前記着信報知手段が着信を報知するまでに、前記網制御手段が他の回線において着信を検出すると、前記他の回線において検出した着信の発呼側電話番号が、前記着信履歴格納手段に格納されている過去の着信履歴において着信に応答しなかった相手先の電話番号と一致するか否かを判定し、一致すると判定すると、一致した電話番号からの着信に応答可能にし、他の回線における着信を拒否するよう前記網制御手段を制御する制御手段と、を有することを特徴とする電話装置。
【請求項８】
複数の回線を収容可能な電話装置であり、
前記電話装置は、回線の閉結と開放及び着信の検出を行う網制御手段と、着信時に発呼側の電話番号を検出する電話番号検出手段と、過去の発信履歴において発信に応答しなかった相手先の電話番号を格納可能な発信履歴格納手段と、着信を報知する着信報知手段と、
前記網制御手段が１つの回線からの着信を検出し前記着信報知手段が着信を報知するまでに、前記網制御手段が他の回線において着信を検出すると、前記他の回線において検出した着信の発呼側電話番号が、前記発信履歴格納手段に格納されている過去の発信履歴において発信に応答しなかった相手先の電話番号と一致するか否かを判定し、一致すると判定すると、一致した電話番号からの着信に応答可能にし、他の回線における着信を拒否するよう前記網制御手段を制御する制御手段と、を有することを特徴とする電話装置。
【発明の詳細な説明】
【技術分野】
【０００１】
本発明は、複数本の電話回線を有し各電話回線のそれぞれに対応した電話番号が予め決定された電話装置に関する。
【背景技術】
【０００２】
従来では、発信者識別情報を利用して取得した発信者情報と、予め個々の発信者の優先順位が登録された優先順位情報に従って、最も優先順位の高い発信者への着信応答を実現する技術が知られている（下記特許文献１参照）。
【特許文献１】特開平７−２６４２９７号公報
【発明の開示】
【発明が解決しようとする課題】
【０００３】
しかしながら、着信を優先すべき相手先は何もユーザが設定した相手先とは限らない。例えば、過去に着信がありその着信に応答できなかった相手先、或いは、過去に発呼を行ったがその発呼に応答しなかった相手先、等を着信優先した方が良い場合がある。
【課題を解決するための手段】
【０００４】
本発明は、このような課題を解決する為のものであり、過去に着信がありその着信に応答できなかった相手先、或いは、過去に発呼を行ったがその発呼に応答しなかった相手先、等を着信優先し、過去に緊急の用事などで発呼してきた相手先或いは、緊急の用事などで呼び出した相手先からの着信を優先的に着信受付するものである。
請求項１記載の電話装置は、複数の回線を収容可能な電話装置であり、前記複数の回線において着信が同時に発生した際、前記着信の相手先が、過去の着信履歴において着信に応答しなかった相手先であれば、同時に発生している他の着信よりも着信を優先することを特徴とする。
請求項２記載の電話装置は、請求項１記載の電話装置であり、更に、着信を優先する相手先の電話番号を設定可能であり、前記設定された電話番号の相手先は、前記過去の着信履歴において着信に応答しなかった相手先よりも優先順位が低いことを特徴とする。
請求項３記載の電話装置は、複数の回線を収容可能な電話装置であり、前記複数の回線において着信が同時に発生した際、前記着信の相手先が、過去の発信履歴において発信に応答しなかった相手先であれば、同時に発生している他の着信よりも着信を優先することを特徴とする。
請求項４記載の電話装置は、請求項３記載の電話装置であり、更に、着信を優先する相手先の電話番号を設定可能であり、前記設定された電話番号の相手先は、前記過去の発信履歴において発信に応答しなかった相手先よりも優先順位が低いことを特徴とする。
請求項５記載の電話装置は、複数の回線を収容可能な電話装置であり、前記電話装置は、回線の閉結と開放及び着信の検出を行う網制御手段と、着信時に発呼側の電話番号を検出する電話番号検出手段と、過去の着信履歴において着信に応答しなかった相手先の電話番号を格納可能な着信履歴格納手段と、前記網制御手段が１つの回線からの着信を検出し当該着信検出がなくなるまでに、前記網制御手段が他の回線において着信を検出すると、前記他の回線において検出した着信の発呼側電話番号が、前記着信履歴格納手段に格納されている過去の着信履歴において着信に応答しなかった相手先の電話番号と一致するか否かを判定し、一致すると判定すると、一致した電話番号からの着信に応答可能にし、他の回線における着信を拒否するよう前記網制御手段を制御する制御手段と、を有することを特徴とする。
請求項６記載の電話装置は、複数の回線を収容可能な電話装置であり、前記電話装置は、回線の閉結と開放及び着信の検出を行う網制御手段と、着信時に発呼側の電話番号を検出する電話番号検出手段と、過去の発信履歴において発信に応答しなかった相手先の電話番号を格納可能な発信履歴格納手段と、前記網制御手段が１つの回線からの着信を検出し当該着信検出がなくなるまでに、前記網制御手段が他の回線において着信を検出すると、前記他の回線において検出した着信の発呼側電話番号が、前記発信履歴格納手段に格納されている過去の発信履歴において発信に応答しなかった相手先の電話番号と一致するか否かを判定し、一致すると判定すると、一致した電話番号からの着信に応答可能にし、他の回線における着信を拒否するよう前記網制御手段を制御する制御手段と、を有することを特徴とする。
請求項７記載の電話装置は、複数の回線を収容可能な電話装置であり、前記電話装置は、回線の閉結と開放及び着信の検出を行う網制御手段と、着信時に発呼側の電話番号を検出する電話番号検出手段と、過去の着信履歴において着信に応答しなかった相手先の電話番号を格納可能な着信履歴格納手段と、着信を報知する着信報知手段と、前記網制御手段が１つの回線からの着信を検出し前記着信報知手段が着信を報知するまでに、前記網制御手段が他の回線において着信を検出すると、前記他の回線において検出した着信の発呼側電話番号が、前記着信履歴格納手段に格納されている過去の着信履歴において着信に応答しなかった相手先の電話番号と一致するか否かを判定し、一致すると判定すると、一致した電話番号からの着信に応答可能にし、他の回線における着信を拒否するよう前記網制御手段を制御する制御手段と、を有することを特徴とする。
請求項８記載の電話装置は、複数の回線を収容可能な電話装置であり、前記電話装置は、回線の閉結と開放及び着信の検出を行う網制御手段と、着信時に発呼側の電話番号を検出する電話番号検出手段と、過去の発信履歴において発信に応答しなかった相手先の電話番号を格納可能な発信履歴格納手段と、着信を報知する着信報知手段と、前記網制御手段が１つの回線からの着信を検出し前記着信報知手段が着信を報知するまでに、前記網制御手段が他の回線において着信を検出すると、前記他の回線において検出した着信の発呼側電話番号が、前記発信履歴格納手段に格納されている過去の発信履歴において発信に応答しなかった相手先の電話番号と一致するか否かを判定し、一致すると判定すると、一致した電話番号からの着信に応答可能にし、他の回線における着信を拒否するよう前記網制御手段を制御する制御手段と、を有することを特徴とする。
【発明の効果】
【０００５】
本発明によれば、過去に着信がありその着信に応答できなかった相手先、或いは、過去に発呼を行ったがその発呼に応答しなかった相手先、等を着信優先し、過去に緊急の用事などで発呼してきた相手先或いは、緊急の用事などで呼び出した相手先からの着信を優先的に着信受付することが可能である。
【０００６】
請求項１記載の電話装置は、複数の相手先からの着信があった際に、過去に緊急の用事などで発呼してきた相手先からの着信を優先的に着信受付することが可能である。
【０００７】
請求項２記載の電話装置は、更に、ユーザが設定した相手先からの着信を優先的に受け付けることが可能である。
【０００８】
請求項３記載の電話装置は、複数の相手先からの着信があった際に、過去に緊急の用事などで発呼した相手先からの着信を優先的に着信受付することが可能である。
【０００９】
請求項４記載の電話装置は、更に、ユーザが設定した相手先からの着信を優先的に受け付けることが可能である。
【００１０】
請求項５記載の電話装置は、複数の相手先からの着信があった際に、過去に緊急の用事などで発呼してきた相手先からの着信を優先的に着信受付することが可能である。
【００１１】
請求項６記載の電話装置は、複数の相手先からの着信があった際に、過去に緊急の用事などで発呼した相手先からの着信を優先的に着信受付することが可能である。
【００１２】
請求項７記載の電話装置は、複数の相手先からの着信があった際に、過去に緊急の用事などで発呼してきた相手先からの着信を優先的に着信受付することが可能である。
【００１３】
請求項８記載の電話装置は、複数の相手先からの着信があった際に、過去に緊急の用事などで発呼した相手先からの着信を優先的に着信受付することが可能である。
【発明を実施するための最良の形態】
【００１４】
次に、本発明を適用してなる実施例装置である電話装置について説明する。
【００１５】
図１に示すように、本実施形態の電話装置は、ボタン式のＩＰ（Ｉｎｔｅｒｎｅｔ  Ｐｒｏｔｏｃｏｌ、以下、単に「ＩＰ」と略する。）電話装置１０であり、複数本の電話回線を有し各電話回線に対応した電話番号を設定することができるものである。また、このＩＰ電話装置１０は、外線設定、すなわちルータ１２及びインターネット網を介して他のＩＰ電話装置１４と通信（通話）することができるようになっており、また、公衆回線網を利用した電話装置１３とも通信（通話）することができるようになっている。さらに、このＩＰ電話装置１０は、内線設定、すなわち、所定のグループで共有されたグループ共有回線により他のボタン式のＩＰ電話装置１６、１８とも通信（通話）することができるようになっている。
【００１６】
また、ＩＰ電話装置１０は、所定の数字などを入力する入力部１０Ａと、所定の情報を表示する表示部１０Ｂと、所定の情報などを記憶するメモリ（記憶手段）１０Ｃと、メモリ１０Ｃの記憶内容に基づいて所定の判断処理を行う制御回路（制御手段）１０Ｄと、を有している。
【００１７】
また、ＩＰ電話装置１０は、ルータ１２及びインターネット網を介して他のＩＰ電話装置と通信する場合や公衆回線網を利用した電話装置と通信する場合の他に、所定のグループで共有されたグループ共有回線により他のＩＰ電話装置１６、１８と通信する場合にも、サーバ１１を介して通信状態が実現される。
【００１８】
ここで、本実施形態のＩＰ電話装置１０では、合計で４本の電話回線が設定されており、各電話回線に対応した４つの電話番号が設定されている。
【００１９】
メモリ１０Ｃには、図２の格納形態図に示すデータが格納されている。尚、制御回路１０Ｄが実行するシステムプログラム等は図示を省略している。
図２において、相手先の氏名と電話番号の対からなる情報を複数記憶可能な電話帳領域（図示せず）以外に、着信履歴領域と発信履歴領域が存在する。
まず、着信履歴領域には、相手先の電話番号、氏名、着信に応答したか、換言すれば通話が行われたかを示すフラグ、着信時刻が対応付けられて格納されている。尚、これらの情報は複数件分格納可能である。
又、発信履歴領域には、相手先の電話番号、氏名、着呼側が着信に応答したか、換言すれば通話が行われたかを示すフラグ、発呼時刻が対応付けられて格納されている。尚、これらの情報は複数件分格納可能である。
【００２０】
尚、前記通話が行われたか否かを示す情報は例えば、１又は０の情報（フラグ）で表記され、１の情報が格納されていれば着信（又は発信）に応答した、換言すれば通話が行われたことを示し、０の情報が格納されていれば着信（又は発信）に応答しなかった、換言すれば通話が行われなかったことを示している。
【００２１】
フック検出回路１０Ｅは、図示しないハンドセットが持ち上げられた（オフフック）されたか、或いは所定の位置に戻された（オンフック）かを検出する回路である。
【００２２】
スピーカ１０Ｆは、着信音を鳴動させる為のスピーカである。
次に、本実施例装置の動作について、制御回路１０Ｄの制御に基づいて以下に説明する。
先ず、発呼操作を行う際の動作について図３を用いて説明する。尚、図３は発呼時における動作を示すフロー図である。
図３のＳ１００ステップにおいて、制御回路１０Ｄは、発呼操作があると判定するとＳ１１０ステップへ処理を進める。具体的には、制御回路１０Ｄは、ハンドセットがオフフックされたことを示す信号をフック検出部１０Ｅから検出し、続いて入力部１０Ａから相手先の電話番号が入力、或いはメモリ１０Ｃの電話帳領域から所望の電話番号を選択することにより、選択された電話番号が網制御部１０Ｇを介して、回線に送出される。又、選択或いは入力された電話番号は、制御回路１０Ｄのバッファメモリ（図示せず）に一時的に記憶する。尚、本実施例装置では４つの回線が接続されているが、どの回線を使用するかをユーザが選択できる構成にしても良いし、発呼時に自動的に使用される回線が選択される構成としても良い。
【００２３】
続くＳ１１０ステップでは、制御回路１０Ｄは、網制御部１０Ｇから相手先が着信に応答したことを示す信号を検出すると、相手先が応答したと判定し、Ｓ１２０ステップへ処理を進め、そうでなければ、Ｓ１６０ステップへ処理を進める。
【００２４】
Ｓ１２０ステップでは、制御回路１０Ｄは、網制御部１０Ｇと図示せぬハンドセットとの間で通話路を形成させ、その後に通話が行われる。
【００２５】
続くＳ１３０ステップでは、制御回路１０Ｄは、フック検出部１０Ｅからハンドセットがオンフックされたことを示す信号を検出したと判定すると、Ｓ１４０ステップへ処理を進める。
【００２６】
Ｓ１４０ステップでは、制御回路１０Ｄは、網制御部１０Ｇを制御することにより回線を開放させると共に、網制御部１０Ｇとハンドセットとの間の通話路を切断する。
【００２７】
続くＳ１５０ステップでは、前記Ｓ１００ステップにおいて一時的に格納した発呼側の電話番号をメモリ１０Ｃの発信履歴領域に格納すると共に、通話が終了した時刻（又は通話開始時刻）と、相手先と通話を行ったので１のフラグと、が格納される。尚、電話番号だけでなく氏名を格納しても良い。氏名を格納する場合には、発呼した電話番号に対応する氏名が電話帳領域（図示せず）に格納されていると、対応する氏名をメモリ１０Ｃの発信履歴領域に格納する構成としてもよい。
【００２８】
Ｓ１６０ステップでは、制御回路１０Ｄは、フック検出部１０Ｅからハンドセットがオンフックされたことを示す信号を検出したと判定すると、Ｓ１７０ステップへ処理を進め、そうでなければ、Ｓ１１０ステップへ処理を戻す。
【００２９】
Ｓ１７０ステップでは、前記Ｓ１００ステップにおいて一時的に格納した発呼側の電話番号をメモリ１０Ｃの発信履歴領域に格納すると共に、相手先と通話を行わなかったので０のフラグが格納される。尚、電話番号だけでなく氏名を格納しても良い。氏名を格納する場合には、発呼した電話番号に対応する氏名が電話帳領域（図示せず）に格納されていると、対応する氏名をメモリ１０Ｃの発信履歴領域に格納する構成としてもよい。
【００３０】
このように、発呼し相手側が応答しなかった場合には、メモリ１０Ｃの発信履歴領域に、相手先の電話番号とフラグ「０」が格納され、一方、相手先が応答した場合には、相手先の電話番号とフラグ「１」が格納される。
【００３１】
次に、着信時の動作について図４及び図５を用いて説明する。尚、図４及び図５は着信時の動作を示すフロー図である。
図４のＳ２００ステップにおいて、制御回路１０Ｄは、網制御部１０Ｇから着信があることを示す信号を検出すると、Ｓ２１０ステップへ処理を進める。
Ｓ２１０ステップでは、制御回路１０Ｄは、網制御部１０Ｇから、複数の相手先からの着信があることを示す信号を検出すると、複数の相手先の電話番号を図示せぬバッファメモリに格納し、Ｓ２２０ステップへ処理を進め、一方、そうでなければ、Ｓ２３０ステップへ処理を進める。尚、ここで複数の相手先から着信があるか否かということは、本実施例装置では４つの回線と接続されているが、この４つの回線の内複数の回線において着信があったことを示している、例えば、４つの回線の内１つの回線において着信信号が到来した直後に、他の回線で着信信号が到来した場合、或いは、２以上の回線において、時間的に略同時に着信信号が到来してきた場合等である。
【００３２】
Ｓ２２０ステップでは、制御回路１０Ｄは、図５のＳ３００〜Ｓ３６０ステップの処理を行なう。具体的な動作については後ほど説明する。
【００３３】
Ｓ２３０ステップでは、制御回路１０Ｄは、スピーカ１０Ｆから着信音を鳴動させ、Ｓ２４０ステップへ処理を進める。尚、Ｓ２３０ステップにおいて、制御回路１０Ｄは、発呼側の電話番号を図示しないバッファメモリに一時的に記憶しておく。
Ｓ２４０ステップでは、制御回路１０Ｄは、フック検出部１０Ｅからハンドセットがオフフックされたことを示す信号を検出したと判定すると、Ｓ２５０ステップへ処理を進め、そうでなければ、Ｓ２９０ステップへ処理を進める。
Ｓ２５０ステップでは、制御回路１０Ｄは、網制御部１０Ｇと図示せぬハンドセットとの間で通話路を形成させ、その後に通話が行われる。
【００３４】
続くＳ２６０ステップでは、制御回路１０Ｄは、フック検出部１０Ｅからハンドセットがオンフックされたことを示す信号を検出したと判定すると、Ｓ２７０ステップへ処理を進める。
【００３５】
Ｓ２７０ステップでは、制御回路１０Ｄは、網制御部１０Ｇを制御することにより回線を開放させると共に、網制御部１０Ｇとハンドセットとの間の通話路を切断する。
【００３６】
続くＳ２８０ステップでは、前記Ｓ２３０ステップにおいて一時的に格納した発呼側の電話番号をメモリ１０Ｃの着信履歴領域に格納すると共に相手先と通話を行ったので１のフラグが格納される。尚、電話番号だけでなく氏名を格納しても良い。氏名を格納する場合には、発呼した電話番号に対応する氏名が電話帳領域（図示せず）に格納されていると、対応する氏名をメモリ１０Ｃの発信履歴領域に格納する構成としてもよい。
【００３７】
Ｓ２９０ステップでは、制御回路１０Ｄは、網制御部１０Ｇから、回線からの着信信号の到来がなくなったことを示す信号を検出すると、Ｓ２９５ステップへ処理を進め、そうでなければ、Ｓ２３０ステップへ処理を戻す。
【００３８】
続くＳ２９５ステップでは、前記Ｓ２３０ステップにおいて一時的に格納した発呼側の電話番号をメモリ１０Ｃの着信履歴領域に格納すると共に、通話が終了した時刻（又は通話開始時刻）と、相手先と通話を行わなかったので０のフラグと、が格納される。尚、電話番号だけでなく氏名を格納しても良い。氏名を格納する場合には、発呼した電話番号に対応する氏名が電話帳領域（図示せず）に格納されていると、対応する氏名をメモリ１０Ｃの発信履歴領域に格納する構成としてもよい。
このように、着信があり応答しなかった場合には、メモリ１０Ｃの着信履歴領域に、相手先の電話番号とフラグ「０」が格納され、一方、着呼に応答した場合には、相手先の電話番号とフラグ「１」が格納される。
【００３９】
次に、Ｓ２２０ステップにおける未応答優先処理について説明する。この未応答優先処理は、複数の相手先からの着信時に、発呼してきた相手先の内、過去に着信があった際に応答しなかった相手先か或いは過去に発呼したが相手先が応答せず通話ができなかった相手先があれば、優先して着信を受け付けるというものである。
【００４０】
では、Ｓ２２０ステップにおける未応答優先処理について、図５を用いて説明する。
【００４１】
Ｓ３００ステップにおいて、制御回路１０Ｄは、過去着信時に未応答だった相手先であるか否か、即ち、発呼側の相手先が、過去着信の履歴があった相手先であり且つ通話を行わなかった相手先であるか否かを判定する。具体的には、制御回路１０Ｄは、前記Ｓ２１０ステップで格納した相手先の電話番号が、メモリ１０Ｃの着信履歴領域に格納されているフラグが「０」の相手先であると判定すると、Ｓ３１０ステップへ処理を進め、そうでなければ、Ｓ３２０ステップへ処理を進める。
【００４２】
Ｓ３１０ステップでは、制御回路１０Ｄは、前記Ｓ３００ステップで判定した、過去着信時に未応答だった相手先からの着信がある回線を選択し、図４のＳ２３０ステップへ処理を進める。即ち、過去着信時に未応答だった相手先からの着信がある回線のみ、着信を受付、他の回線での着信は受け付けないようにする。より具体的には、制御回路１０Ｄは、網制御部１０Ｇを制御することにより、過去着信時に未応答だった相手先からの着信がある回線からの着信信号を受付、他の回線における着信信号を受け付けないようにする。尚、他の回線における着信信号を受け付けないということは、他の回線からの着信信号は回線から到来しているが、その着信信号に対応する着信音をスピーカ１０Ｆから送出しないようにする。更に、ハンドセットがオフフックされても、通話路は前記他の回線とハンドセットとの間で形成せず、過去着信時に未応答だった相手先からの着信がある回線とハンドセットとの間で形成する。
【００４３】
Ｓ３２０ステップにおいて、制御回路１０Ｄは、過去発呼時に未応答だった相手先であるか否か、即ち、発呼側の相手先が、過去発呼の履歴があった相手先であり且つ通話を行わなかった相手先であるか否かを判定する。具体的には、制御回路１０Ｄは、前記Ｓ２１０ステップで格納した相手先の電話番号が、メモリ１０Ｃの発信履歴領域に格納されているフラグが「０」の相手先であると判定すると、Ｓ３３０ステップへ処理を進め、そうでなければ、Ｓ３４０ステップへ処理を進める。
【００４４】
Ｓ３３０ステップでは、制御回路１０Ｄは、前記Ｓ３２０ステップで判定した、過去発呼時に未応答だった相手先からの着信がある回線を選択し、図４のＳ２３０ステップへ処理を進める。即ち、過去発呼時に未応答だった相手先からの着信がある回線のみ、着信を受付、他の回線での着信は受け付けないようにする。尚、他の回線における着信信号を受け付けないということは、他の回線からの着信信号は回線から到来しているが、その着信信号に対応する着信音をスピーカ１０Ｆから送出しないようにする。更に、ハンドセットがオフフックされても、通話路は前記他の回線とハンドセットとの間で形成せず、過去発呼時に未応答だった相手先からの着信がある回線とハンドセットとの間で形成する。
【００４５】
Ｓ３４０ステップにおいて、制御回路１０Ｄは、過去着信時或いは発呼時に通話しなかった相手先以外の、特定の相手先であるか否かを判定する。具体的には、制御回路１０Ｄは、前記Ｓ２１０ステップで格納した相手先の電話番号が、メモリ１０Ｃに格納されている優先相手先の電話番号であると判定すると、Ｓ３５０ステップへ処理を進め、そうでなければ、Ｓ３６０ステップへ処理を進める。
【００４６】
尚、この優先相手先は、予めユーザが入力部１０Ａの入力操作を行うことにより設定することができる。例えば、着信があった際に優先的に着信に応答すべき相手先の電話番号をユーザが入力することにより、設定することが可能である。但し、本実施例装置では、この優先相手先よりも、着信に応答しなかった相手先や発呼時に応答しなかった相手先からの着信を優先している。勿論、このような構成以外にも、優先相手先を着信時に最優先すべき相手先とする構成としても良い。
【００４７】
Ｓ３５０ステップでは、制御回路１０Ｄは、前記Ｓ３４０ステップで判定した、優先相手先からの着信がある回線を選択し、図４のＳ２３０ステップへ処理を進める。即ち、優先相手先からの着信がある回線のみ、着信を受付、他の回線での着信は受け付けないようにする。尚、他の回線における着信信号を受け付けないということは、他の回線からの着信信号は回線から到来しているが、その着信信号に対応する着信音をスピーカ１０Ｆから送出しないようにする。更に、ハンドセットがオフフックされても、通話路は前記他の回線とハンドセットとの間で形成せず、優先相手先からの着信がある回線とハンドセットとの間で形成する。
Ｓ３６０ステップでは、制御回路１０Ｄは、Ｓ２１０ステップにおいて発呼してきた相手先のうち、最も早く発呼してきた相手先の回線を接続するよう網制御部１０Ｇを制御し、図４のＳ２３０ステップへ処理を進める。
【００４８】
このように、本実施例装置では、着信時に、過去の発呼において応答しなかった相手先或いは、過去の着信においてこちらが応答しなかった相手先、即ち通話できなかった相手先からの着信を優先的に受け付けるようにしたので、過去に相手が緊急の用事で着信のあった相手先からの着信を優先的に受け付けることができる。又、こちらから緊急の用事で発呼したが相手先が応答しなかった場合においても、この発呼があったことを相手先が気づき、相手先がこちらに発呼してきた場合、その発呼を優先的に受け付けることができる。
【００４９】
又、本実施例装置では、複数の相手先からの着信があるか否かの判定として、時間的に同時或いは、１つの回線で着信があり直後に他の回線で着信があった場合に、複数の相手先から着信があると判定しているが、最初にあった着信から着信音が鳴動している間、即ち、着信があってからハンドセットがオフフックされ回線が接続するまでに他の回線での着信があると、複数の着信があると判定する構成としても良い。
【図面の簡単な説明】
【００５０】
【図１】本発明を適用してなる実施例装置のブロック図である。
【図２】本実施例装置のメモリ１０Ｃの格納形態図である。
【図３】本実施例装置の動作を示すフロー図である。
【図４】本実施例装置の動作を示すフロー図である。
【図５】本実施例装置の動作を示すフロー図である。
【符号の説明】
【００５１】
１０      ＩＰ電話装置
１０Ｃ    メモリ
１０Ｄ    制御回路
【図１】
2008005417.tif 000003
【図２】
2008005417.tif 000004
【図３】
2008005417.tif 000005
【図４】
2008005417.tif 000006
【図５】
2008005417.tif 000007